(57)【特許請求の範囲】
【請求項１】
一対の挾持板が連結ヒンジ部で連結され、一対の挾持板の先端がわが挾持部となり、一対の挾持板の基端がわが取付部となるハンガー用挾持具を、ハンガーの横架部に取付けられるように構成したハンガー用挾持具の取付け構造であって、ハンガー用挾持具の一対の挾持板の基端がわ対向面に、第一係止凹部を夫々設けると共に、第一係止凹部奥面相互の間隔より狭くなる第二係止凹部を夫々設け、この第一係止凹部、或いは、第二係止凹部に、横架部の水平張出部を導入できるよう構成したことを特徴とするハンガー用挾持具の取付構造。
【請求項２】
一対の挾持板が連結ヒンジ部で連結され、一対の挾持板の先端がわが挾持部となり、一対の挾持板の基端がわが取付部となるハンガー用挾持具を、ハンガーの横架部に取付けられるように構成したハンガー用挾持具の取付け構造であって、ハンガー用挾持具の一対の挾持板の基端がわ対向面に、第一係止突部を夫々設けると共に、第一係止突部先端面相互の間隔より狭くなる第二係止突部を夫々設け、この第一係止突部、或いは、第二係止突部で、横架部の水平張出部上部にある鉛直部を挾めるよう構成したことを特徴とするハンガー用挾持具の取付構造。
【請求項３】
ハンガーの横架部の水平張出部に、ハンガー用挾持具の一対の挾持板の基端がわ部分の幅以上となる切欠溝を設け、切欠溝近傍の水平張出部の突出端縁部分に、切欠溝に接近するに従って水平張出部の張出幅が漸次小さくなるような導入ガイド部を設けたことを特徴とする請求項１または請求項２記載のハンガー用挾持具の取付構造。
【発明の詳細な説明】
【０００１】
【発明の属する技術分野】
本発明は、主に、先端がわの挾持部で、例えば、ズボンや、スカートや、その他衣類や、マフラーや、タオルや、スカーフや、その他の適宜被挾持物を自在に挾持できるよう構成されたハンガー用挾持具を、適宜ハンガーの横架部に簡単に且つ確実に取付けられるようにし、しかも、その取付け状態によって被挾持物に応じた挾持状態が得られるように工夫したハンガー用挾持具の取付構造に関するものである。
【０００２】
【従来の技術】
従来、ハンガーにハンガー用挾持具を取付ける手段としては、例えば、ハンガーの軸部を、一対のクリップ片のアーム部に設けた軸孔に貫通させると共に、軸部を中心として一対のクリップ片が揺動するようにして装着されたものが提案されている（例えば、実開平８−７０９７８号）。
【０００３】
【発明が解決しようとする課題】
ところが、前述の如き取付け手段にあっては、クリップの取付け、取外しが非常に面倒であることや、クリップによる挾持状態を被挾持物に応じて変更することができない等の難点があった。
【０００４】
【課題を解決するための手段】
そこで、本発明は、前述の如き難点等を解消すると共に、構成簡素で、取扱い易く、耐久性に優れ、被挾持物に対して最適な挾持状態が得られるハンガー用挾持具の取付構造を提供すべく創出されたもので、請求項１記載のハンガー用挾持具Ａの取付構造は、一対の挾持板１，２が連結ヒンジ部３で連結され、一対の挾持板１，２の先端がわが挾持部となり、一対の挾持板１，２の基端がわが取付部となるハンガー用挾持具Ａを、ハンガーＢの横架部１０に取付けられるように構成したハンガー用挾持具Ａの取付け構造であって、ハンガー用挾持具Ａの一対の挾持板１，２の基端がわ対向面に、第一係止凹部４を夫々設けると共に、第一係止凹部４奥面相互の間隔より狭くなる第二係止凹部５を夫々設け、この第一係止凹部４、或いは、第二係止凹部５に、横架部１０の水平張出部１２を導入できるよう構成する手段を採用した。
【０００５】
また、請求項２記載のハンガー用挾持具Ａの取付構造は、一対の挾持板１，２が連結ヒンジ部３で連結され、一対の挾持板１，２の先端がわが挾持部となり、一対の挾持板１，２の基端がわが取付部となるハンガー用挾持具Ａを、ハンガーＢの横架部１０に取付けられるように構成したハンガー用挾持具Ａの取付け構造であって、ハンガー用挾持具Ａの一対の挾持板１，２の基端がわ対向面に、第一係止突部６を夫々設けると共に、第一係止突部６先端面相互の間隔より狭くなる第二係止突部７を夫々設け、この第一係止突部６、或いは、第二係止突部７で、横架部１０の水平張出部１２上部にある鉛直部１１を挾めるよう構成する手段を採用した。
【０００６】
更に、請求項３記載のハンガー用挾持具Ａの取付構造は、ハンガーＢの横架部１０の水平張出部１２に、ハンガー用挾持具Ａの一対の挾持板１，２の基端がわ部分の幅以上となる切欠溝１３を設け、切欠溝１３近傍の水平張出部１２の突出端縁部分に、切欠溝１３に接近するに従って水平張出部１２の張出幅が漸次小さくなるような導入ガイド部１４を設ける手段を採用した。
【０００７】
【発明の実施の形態】
以下、本発明を図示例に基づいて説明する。
本発明のハンガー用挾持具Ａの取付構造は、例えば、ズボンや、スカートや、その他衣類や、マフラーや、タオルや、スカーフや、その他の適宜被挾持物を先端がわの挾持部で自在に挾持できるよう構成されたハンガー用挾持具Ａを、その基端がわの取付部を利用して、適宜ハンガーＢの横架部１０に簡単に且つ確実に取付けられ、しかも、その取付け状態によって被挾持物に応じた挾持状態が得られるようにしたものである。
【０００８】
そして、図２、図３に示すハンガー用挾持具Ａの取付構造は、適宜間隔を隔てて配される一対の挾持板１，２と、この一対の挾持板１，２の基端寄りに配されて、一対の挾持板１，２を一体的に連結する連結ヒンジ部３とを備え、しかも、一対の挾持板１，２の先端がわが挾持部となり、一対の挾持板１，２の基端がわが取付部となるハンガー用挾持具Ａを形成し、このハンガー用挾持具Ａの一対の挾持板１，２の基端がわ対向面に、第一係止凹部４を夫々設けると共に、第二係止凹部５を夫々設け、更に、第一係止凹部４の奥面相互の間隔より第二係止凹部５の奥面相互の間隔が狭くなるように形成し、この第一係止凹部４、或いは、第二係止凹部５に、横架部１０に設けた水平張出部１２が導入できるよう構成されたものである。
すなわち、第一係止凹部４に横架部１０の水平張出部１２が収まるようにハンガー用挾持具Ａを横架部１０に取付けたときは、一対の挾持板１，２の基端部分は、水平張出部１２の突出端縁相互の間隔に第一係止凹部４部分が拡げられ、一対の挾持板１，２は、連結ヒンジ部３部分を支点として夫々揺動し、その先端部分が閉じるようになって、適宜被挾持物を挟めるようになる。
また、第二係止凹部５に横架部１０の水平張出部１２が収まるようにハンガー用挾持具Ａを横架部１０に取付けたときは、一対の挾持板１，２の基端部分は、水平張出部１２の突出端縁相互の間隔に第二係止凹部５部分が拡げられ、一対の挾持板１，２は、連結ヒンジ部３部分を支点として夫々揺動し、その先端部分がより閉じるようになって、適宜被挾持物を強く挟めるようになる。
【０００９】
更に、図４、図５に示すハンガー用挾持具Ａの取付構造は、ハンガー用挾持具Ａの一対の挾持板１，２の基端がわ対向面に、第一係止突部６を夫々設けると共に、第二係止突部７を夫々設け、しかも、第一係止突部６先端面相互の間隔より第二係止突部７先端面相互の間隔が狭くなるように形成し、この第一係止突部６、或いは、第二係止突部７で、横架部１０の水平張出部１２上部にある鉛直部１１を挾めるよう構成されたものである。
すなわち、第一係止突部６で横架部１０の鉛直部１１を挟むようにハンガー用挾持具Ａを横架部１０に取付けたときは、一対の挾持板１，２の基端部分は、鉛直部１１の厚みの間隔に第一係止突部６部分が拡げられ、一対の挾持板１，２は、連結ヒンジ部３部分を支点として夫々揺動し、その先端部分が閉じるようになって、適宜被挾持物を挟めるようになる。
また、第二係止突部７で横架部１０の鉛直部１１を挟むようにハンガー用挾持具Ａを横架部１０に取付けたときは、一対の挾持板１，２の基端部分は、鉛直部１１の厚みの間隔に第二係止突部７部分が拡げられ、一対の挾持板１，２は、連結ヒンジ部３部分を支点として夫々揺動し、その先端部分がより閉じるようになって、適宜被挾持物を強く挟めるようになる。
【００１０】
そして、図６に示すハンガー用挾持具Ａの取付構造は、ハンガーＢの横架部１０の水平張出部１２に、一対の挾持板１，２の基端がわ部分の幅以上となる切欠溝１３を設け、しかも、切欠溝１３近傍の水平張出部１２の突出端縁部分に、切欠溝１３に接近するに従って水平張出部の張出幅が漸次小さくなるような導入ガイド部１４を設けて構成されたものである。
すなわち、切欠溝１３によって、一対の挾持板１，２の基端部分の間に横架部１０を介装せしめ易くし、ハンガー用挾持具Ａ基端の取付部をハンガーＢの横架部１０に取付けたり、ハンガーＢの横架部１０からハンガー用挾持具Ａ基端の取付部を取外したりするのが簡単に行えるようにしてある。
また、導入ガイド部１４によって、一対の挾持板１，２の基端部分の間隔をスムーズに拡げ易くし、ハンガー用挾持具Ａ基端の取付部をハンガーＢの横架部１０に取付けるのがより簡単に行えるようにしてある。尚、導入ガイド部１４は、ハンガーＢの正面がわの水平張出部１２と背面がわの水平張出部１２に設けても良いし、どちらか一方に設けたものでも良い。また、直線で構成したものであっても良いし、湾曲線で構成したものであっても良い。
【００１１】
ハンガー用挾持具Ａは、主に、適宜合成樹脂材によって一体的に構成されており、具体的には、略帯板状の一対の挾持板１，２を適宜間隔を隔てて配し、この一対の挾持板１，２を、基端寄りに配される略短帯板状の弾性変形可能な連結ヒンジ部３を介して一体的に連結して構成されている。しかも、一対の挾持板１，２の基端がわ対向面には、第一係止凹部４が夫々設けられ、この第一係止凹部４より連結ヒンジ部３寄りには第二係止凹部５が夫々設けられている（図２、図３参照）。また、一対の挾持板１，２の基端がわ対向面に、第一係止突部６を夫々設け、この第一係止突部６より連結ヒンジ部３寄りに第二係止突部７を夫々設けるようにしても良い（図４、図５参照）。更に、一対の挾持板１，２は、その先端がわが挾持部となり、一対の挾持板１，２の先端がわ対向面に、比較的大きく弾性変形可能な一対の弾性挾持片８，９が連設されている。すなわち、一対の弾性挾持片８，９によって被挾持物をより確実に且つ安定的に挾持でき、しかも、被挾持物に対して優しく挾持できるように形成してある。
【００１２】
図１、図２、図３に示す一対の挾持板１，２は、その基端部分が直線状に形成され、その先端がわ部分が外方に夫々湾出するような湾曲状に形成され、比較的厚みのある被挾持物でも挾持できると共に、被挾持物を弾性的に挾持できるよう形成されている。
また、図４、図５に示す一対の挾持板１，２は、その基端部分が直線状に形成され、その先端がわ部分も直線状に形成され、ハンガー用挾持具Ａ自体の厚みが小さくなり、ハンガー用挾持具Ａをコンパクトにできるよう形成されている。
【００１３】
連結ヒンジ部３は、取付部となる一対の挾持板１，２の基端がわ部分を残すような位置に配され、一対の挾持板１，２の挾持動作に伴って略湾曲状に弾性変形できるように形成されている。尚、連結ヒンジ部３は、一対の挾持板１，２の挾持部で被挾持物を挾持するときに上方に湾出するように湾曲するが、その際、ハンガーＢの横架部１０下面に当接（或いは、圧迫）して、横架部１０に於けるハンガー用挾持具Ａの取付け位置が簡単には移動しないように形成しても良い。
【００１４】
第一係止凹部４と第二係止凹部５は、略コ字溝状に形成され、その奥壁面が横架部１０の水平張出部１２の突出端縁に密接するように形成されている。
【００１５】
第一係止突部６と第二係止突部７は、略矩形状に形成され、その先端面が横架部１０の鉛直部１１表面に密接するように形成されている。
【００１６】
図２、図３に示す弾性挾持片８，９は、被挾持物を直接挾持する中央の直線状部分と、この直線状部分の一端に連設されると共に挾持板１，２に連設される湾曲状連設部分と、直線状部分の他端に連設されると共に挾持板１，２の対向面に当接する小湾曲状部分とからなり、一方の弾性挾持片８は、一方の挾持板１の先端に連設され、他方の弾性挾持片９は、他方の挾持板１の中央部分に連設されている。しかも、前記小湾曲状部分の先端には、略短円柱状の摺接部８ａ，９ａが夫々連設されており、この摺接部８ａ，９ａが挾持板１，２の対向面を摺動できるように形成されている。すなわち、一対の弾性挾持片８，９で、被挾持物を挾持したときに、弾性挾持片８，９自体が変形し易くなるようにして、被挾持物をより安定的に、しなやか、且つ確実に挾持できるように形成されている。
【００１７】
図４、図５に示す弾性挾持片８，９は、被挾持物を直接挾持する中央の直線状部分と、この直線状部分の一端に連設されると共に挾持板１，２に連設される湾曲状連設部分と、直線状部分の他端に連設されると共に挾持板１，２の対向面に当接する折返し状部分とからなり、一方の弾性挾持片８は、一方の挾持板１の中央部分に連設され、他方の弾性挾持片９は、他方の挾持板１の先端部分に連設されている。しかも、前記小湾曲状部分の先端は、挾持板１，２の対向面に当接するように形成されている。すなわち、一対の弾性挾持片８，９で、被挾持物を挾持したときに、弾性挾持片８，９自体が変形し易くなるようにして、被挾持物をより安定的に、しなやか、且つ確実に挾持できるように形成されている。
【００１８】
図に示すハンガーＢの横架部１０は、略長尺帯板状の鉛直部１１と、この鉛直部１１下端部正面がわと背面がわとに夫々水平に突設される水平張出部１２とを備えており、縦断面略逆Ｔ字状を呈している。そして、水平張出部１２の適宜位置には、切欠溝１３が切設されており、しかも、水平張出部１２に於ける切欠溝１３隣接部分には、平面から見て略傾斜状態となるような導入ガイド部１４が夫々設けられている（図６参照）。
【００１９】
ところで、ハンガー用挾持具Ａの具体的構成、形状、寸法、材質、挾持板１，２の具体的構成、形状、寸法、材質、連結ヒンジ部３の具体的構成、形状、寸法、材質、配設位置、第一係止凹部４の具体的形状、寸法、配設位置、第二係止凹部５の具体的形状、寸法、配設位置、第一係止突部６の具体的形状、寸法、配設位置、第二係止突部７の具体的形状、寸法、配設位置、弾性挾持片８，９の具体的構成、形状、寸法、材質、配設位置、摺接部８ａ，９ａの具体的構成、形状、寸法、材質、横架部１０の具体的構成、形状、寸法、材質、鉛直部１１の具体的構成、形状、寸法、材質、水平張出部１２の具体的構成、形状、寸法、材質、数、配設位置、切欠溝１３の具体的構成、形状、寸法、配設位置、数、導入ガイド部１４の具体的構成、形状、寸法、配設位置等は、図示例等に限定されるものではなく、適宜自由に設定できるものである。
【００２０】
【発明の効果】
従って、請求項１記載のハンガー用挾持具Ａの取付構造は、一対の挾持板１，２が連結ヒンジ部３で連結され、一対の挾持板１，２の先端がわが挾持部となり、一対の挾持板１，２の基端がわが取付部となるハンガー用挾持具Ａを、ハンガーＢの横架部１０に取付けられるように構成したハンガー用挾持具Ａの取付け構造であって、ハンガー用挾持具Ａの一対の挾持板１，２の基端がわ対向面に、第一係止凹部４を夫々設けると共に、第一係止凹部４奥面相互の間隔より狭くなる第二係止凹部５を夫々設け、この第一係止凹部４、或いは、第二係止凹部５に、横架部１０の水平張出部１２を導入できるよう構成したので、横架部１０への取付けに第一係止凹部４と第二係止凹部５とが利用できるようになり、この第一係止凹部４と第二係止凹部５との使い分けによって、ハンガー用挾持具Ａによる挾持状態を被挾持物に応じて簡単に変更でき、被挾持物に対して最適な挾持状態が得られるハンガー用挾持具Ａの取付構造となる。更に、ハンガー用挾持具ＡのハンガーＢの横架部１０への取付けが確実に行えるようになり、しかも、構成簡素で、取扱い易く、耐久性に優れ、経済的なハンガー用挾持具Ａの取付構造となる。
【００２１】
また、請求項２記載のハンガー用挾持具Ａの取付構造は、一対の挾持板１，２が連結ヒンジ部３で連結され、一対の挾持板１，２の先端がわが挾持部となり、一対の挾持板１，２の基端がわが取付部となるハンガー用挾持具Ａを、ハンガーＢの横架部１０に取付けられるように構成したハンガー用挾持具Ａの取付け構造であって、ハンガー用挾持具Ａの一対の挾持板１，２の基端がわ対向面に、第一係止突部６を夫々設けると共に、第一係止突部６先端面相互の間隔より狭くなる第二係止突部７を夫々設け、この第一係止突部６、或いは、第二係止突部７で、横架部１０の水平張出部１２上部にある鉛直部１１を挾めるよう構成したので、横架部１０への取付けに第一係止突部６と第二係止突部７とが利用できるようになり、この第一係止突部６と第二係止突部７との使い分けによって、ハンガー用挾持具Ａによる挾持状態を被挾持物に応じて簡単に変更でき、被挾持物に対して最適な挾持状態が得られるハンガー用挾持具Ａの取付構造となる。更に、ハンガー用挾持具ＡのハンガーＢの横架部１０への取付けが確実に行えるようになり、しかも、構成簡素で、取扱い易く、耐久性に優れ、経済的なハンガー用挾持具Ａの取付構造となる。
【００２２】
更に、請求項３記載のハンガー用挾持具Ａの取付構造は、ハンガーＢの横架部１０の水平張出部１２に、ハンガー用挾持具Ａの一対の挾持板１，２の基端がわ部分の幅以上となる切欠溝１３を設け、切欠溝１３近傍の水平張出部１２の突出端縁部分に、切欠溝１３に接近するに従って水平張出部の張出幅が漸次小さくなるような導入ガイド部１４を設けたので、切欠溝１３によって、一対の挾持板１，２の基端部分の間に横架部１０を介装せしめ易くなり、ハンガー用挾持具ＡのハンガーＢの横架部１０への取付け、取外しが簡単に行えるようになる。しかも、導入ガイド部１４によって、ハンガー用挾持具Ａの一対の挾持板１，２の基端部分相互の間隔を無理なくスムーズに拡げられるようになり、ハンガー用挾持具Ａの横架部１０への取付けが一層簡単に行えるようになる。
【図面の簡単な説明】
【図１】本発明のハンガー用挾持具の取付構造を例示する斜視図である。
【図２】本発明のハンガー用挾持具の取付構造を例示する側面図である。
【図３】本発明のハンガー用挾持具の取付構造を例示する側面図である。
【図４】本発明の他のハンガー用挾持具の取付構造を例示する側面図である。
【図５】本発明の他のハンガー用挾持具の取付構造を例示する側面図である。
【図６】本発明のハンガー用挾持具の取付構造を例示する部分横断平面図である。
【符号の説明】
Ａ      ハンガー用挾持具
１      挾持板                        ２      挾持板
３      連結ヒンジ部
４      第一係止凹部                  ５      第二係止凹部
６      第一係止突部                  ７      第二係止突部
８      弾性挾持片                    ８ａ    摺接部
９      弾性挾持片                    ９ａ    摺接部
Ｂ      ハンガー
１０    横架部                        １１    鉛直部
１２    水平張出部                    １３    切欠溝
１４    導入ガイド部
【図１】
0004423624.tif 000002
【図２】
0004423624.tif 000003
【図３】
0004423624.tif 000004
【図４】
0004423624.tif 000005
【図５】
0004423624.tif 000006
【図６】
0004423624.tif 000007